(57)【特許請求の範囲】
【請求項１】
表面を曲面状又は円錐状の凹部にして孔を設けた天板の周縁部から下方に側壁板を一体に形成し、該側壁板にねじ孔を有する水平舌片を取り付けて成る免震支承用受け皿を、該ねじ孔に調整用ボルトを螺合して床スラブ上に載置し、調整用ボルトを回動して免震支承用受け皿の高さを調整した後、側壁板の下縁と床スラブ面との間を塞ぎ板で閉塞して天板に設けた孔から充填硬化材を注入し、充填硬化材が硬化した後高さ調整ボルトと塞ぎ板を撤去することを特徴とする免震支承用受け皿の施工方法。
【発明の詳細な説明】
【０００１】
【発明が属する分野】
本発明は、ＲＣ造建築物、ＳＲＣ造建築物の床スラブ、あるいは、Ｓ造建築物におけるコンクリート系床版（以下「床スラブ」と総称する）上に免震床を構築する際に使用される免震支承用受け皿の施工方法に関するものである。
【０００２】
【従来の技術】
従来、免震床として数多くのものが提案されているが、その免震装置に使用される受け皿は、高張力鋼等を用いて製造されているので高価であり、又高さがあるので、床スラブ上面から床仕上げ面までの高さが高くなり、相対的に天井高の低い圧迫感、閉塞感のある執務室、作業室となったり、一方このような圧迫感等を無くすための充分な天井高を確保するためには階高を高くしなければならず、結果的に建築コストの上昇が避けられなかった。また、既存の建物において、床を免震床に改修する場合にも上記同様の問題があった。
【０００３】
さらに、床スラブの上面には、不陸と呼ばれる凹凸が存在するため、免震装置の一部を構成する床側部材を水平精度良く設置することに多大な労力を必要としていた。特に、既存の建物において、床の免震化改修を行う場合には、既存の床仕上げ材を撤去した後の床スラブ上面に接着剤などが残存し一層凹凸が多く、上記床側部材を水平精度良く設置することは、さらに困難を伴うものであった。
【０００４】
【発明が解決しようとする課題】
本発明は、このような従来の問題点に鑑みてなされたもので、凹凸のある床スラブであっても水平精度を良くする施工が容易で、かつ、床スラブ面から床仕上げ面までの高さを低く押えることができる免震支承用受け皿の施工方法を提供しようとするものである。
【０００５】
【課題を解決するための手段】
上記課題を解決するため、本発明は薄い鋼板等を使用し、プレス加工で成型した免震支承用受け皿により施工したもので、具体的な手段は以下に示すとおりである。
【０００６】
具体的手段は、表面を曲面状又は円錐状の凹部にして孔を設けた天板の周縁部から下方に側壁板を一体に形成し、該側壁板にねじ孔を有する水平舌片を取り付けて成る免震支承用受け皿を、該ねじ孔に調整用ボルトを螺合して床スラブ上に載置し、調整用ボルトを回動して免震支承用受け皿の高さを調整した後、側壁板の下縁と床スラブ面との間を塞ぎ板で閉塞して天板に設けた孔から充填硬化材を注入し、充填硬化材が硬化した後高さ調整ボルトと塞ぎ板を撤去することを特徴とする免震支承用受け皿の施工方法である。
【０００７】
【実施例】
以下、図面に示す実施例に基づいて本発明を説明する。
図１は、本発明の免震支承用受け皿１（以下、単に「受け皿１」という）と、その受け皿１を使用して免震床を構築した床の概要図を示すものである。
図２は、本発明の受け皿１を使用して構築した免震床の一部を切り欠いた平面図を示すものである。
【０００８】
床スラブ７上には、後述する本発明の受け皿１が多数設置されている。この受け皿１は、後述する方法により、その上端縁である周縁部の天端が互いに水平に保たれ、縦横等間隔、実施例においては中心間距離１ｍで設置されている。
【０００９】
この受け皿１の上方に、下地フレーム３が設けられている。この下地フレーム３は、受け皿１の中心部分で交差する各１ｍ間隔の縦横フレーム３１と、その各交点を結ぶ斜めフレーム３２とで構成された面内剛性の高いフレームであり、外寸４ｃｍの角パイプを使用して組み立てたものである。
【００１０】
図９に示すように、縦横フレーム３１と斜めフレーム３２が交叉する各交点下面に形成した凹部と、曲面状凹部又は円錐状凹部から成る受け皿１の中心点との間に、点接触しているボール９が介在されている。
下地フレーム３の下面と、受け皿周縁部の天端１０との間には若干、例えば５ｍｍ程度の間隙が形成されている。
【００１１】
そして、下地フレーム３上に床仕上げパネル４、或いは、下地パネル４が固定される。このパネル４はいずれも５０ｃｍ角の正方形で、４隅が下地フレーム３上に位置しており、更に４つの側縁の内、２つの隣り合う側縁が縦横のフレーム３１上に位置している。
【００１２】
一方、壁８に接する部分には、脚により床スラブ７に直接支持された固定床パネル６が設けてある。
そして、下地フレーム３の縁部と固定床パネル６との間に、一側縁が下地フレーム３に固定され他側縁が固定床パネル６上に摺動自在に支持された、仕上げスライドパネル５、或いは、下地スライドパネル５が設けられている。
【００１３】
このスライドパネル５は、床仕上げパネル４、或いは、下地パネル４と基本的に同形状、同材質のものが使用される。
なお、パネル４およびスライドパネル５が下地パネルである場合には、その上面にタイルカーペットなどを敷設して床面の仕上げとする。
【００１４】
上記のように構成することにより、地震時に建物に水平力が作用したとき、各ボール９が各受け皿１上を転がり、下地フレーム３、パネル４、スライドパネル５等が一体となって床スラブ７、固定床パネル６に対して、水平に相対的な移動を繰り返すことにより免震機能が発揮される。
【００１５】
図３〜５は、本発明の受け皿１を示すもので、図３は斜め上方から、図４は上から、図５は下から見た各々斜視図、平面図及び底面図を示すものである。
そして図６は、本発明の受け皿１を、充填硬化材２により床スラブ７上に設置した側面図であり、図７は、本発明の受け皿１を、充填硬化材２により床スラブ７上に設置した断面図を示すものである。
【００１６】
この受け皿１は、曲面状凹部又は円錐状凹部に形成した天板１１の周縁から、下方に垂下する側壁板１２とを一体に成型したもので、例えば、直径４０〜５０ｃｍ、高さ２ｃｍ程度で、厚さ２〜３ｍｍ程度の鋼板をプレス加工により成型した薄い円盤状のものである。
【００１７】
天板１１の周縁部近傍に複数の孔１３が設けてあり、この孔１３は、後述する充填硬化材の充填用の孔１３として、或いは空気抜き兼充填確認用の孔１３として用いられる。
【００１８】
また、側壁板１２のほぼ中間部に水平舌片１４が、複数個放射状に取り付けられており、後述する受け皿１の設置高さを調整する調整用ボルト１６を螺合する孔１５がこの水平舌片１４に設けられている。
【００１９】
次に、本発明の受け皿１を使用した免震支承の施工方法について、図８に基づいて説明する。
【００２０】
まず、側壁板１１に取り付けた水平舌片１４の孔１５に、予め設置高さ調整用ボルト１６を螺合した受け皿１を、所定の間隔で床スラブ７上面に載置する。
次いで、設置高さ調整用ボルト１６を回動することにより、全ての受け皿１の天端１０が同一水平面内に位置するように高さが調整される。
【００２１】
高さ調整作業が完了した後、受け皿１の側壁板１２の下縁と床スラブ７との間の間隙を塞ぐため、塞ぎ板１７が取り付けられる。この塞ぎ板１７は、弾性を有し、後述する充填硬化材２が付着することがないよう、表面に剥離処理が施されるが、例えば、帯状の合成ゴムなどが好適であるが、材質など特に限定されるものではない。
【００２２】
次いで、天板１１に設けた複数の孔１３の内、１つの孔から充填硬化材２の注入が行われる。充填硬化材２としては、樹脂系モルタルなどが好適であるが、限定されるものではない。
【００２３】
充填硬化材２が硬化した後、高さ調整用ボルト１６と塞ぎ板１７を撤去する。その際、水平舌片１４は、切断、溶断等により除去してもよいし、そのままの状態で残しておいても差し支えない。
上記した工程により、受け皿１は、床スラブ７上へ固定される。
【００２４】
その後、図１０に示すように、ボール９を載置した受け皿１上に、下地フレーム３の交叉部がボール９上に位置するように下地フレーム３が組立、設置され、固定床パネル６の施工を行った後、下地フレーム３上に、下地パネル４と下地スライドパネル５を取付け、その表面にカーペットなどを敷設するか、或いは、床仕上げパネル４と仕上げスライドパネル５とを取付けることにより免震床が完成する。
【００２５】
以上、本発明の実施の態様について説明したが、本発明は上記実施の態様に限定されるものではない。
【００２６】
上記実施の態様では、下地フレーム３の上面に床仕上げパネル４、あるいは下地パネル４を直接載置固定したが、下地フレーム３を構成する各フレーム３１，３２の交点および縦横フレーム３１の交点間の中間部に支持脚を立設し、この支持脚上部に床仕上げパネル４、あるいは下地パネル４の隅部を載置固定することにより、パネル４下面と下地フレーム３上面との間に配線スペースを設けることもでき、いわゆるフリーアクセスフロアとすることもできる。
【００２７】
下地フレーム３において、縦横フレーム３１の交点間に斜めフレーム３２を２本使用してＸ状に設けたが、１本だけでも差し支えない。
受け皿１は、薄い鋼板をプレス加工したものとしたが、繊維強化プラスチック成型品などでもよく、水平舌片１４も同材質として接着等で取り付ける。
【００２８】
上記した受け皿１の直径は４０〜５０ｃｍであるので、受け皿１に対する下地フレーム３などの上部構造の地震時の水平移動幅は受け皿１の中心から２０〜２５ｃｍ弱でなければならない。
想定される水平移動幅がこの値を超える場合には、図１１に示すように、周囲の構造物と下地フレーム３との間にストッパー兼用のダンパーＡを設けるのが望ましく、ダンパーの設置位置および間隔は、下地フレーム３においてボール９の位置に対応させて水平に設けるのが好ましい。
【００２９】
【発明の効果】
以上、説明したように、本発明の免震支承用受け皿、およびそれを使用した免震支承の施工方法によれば、凹凸のある床スラブであっても水平精度を良くする施工が容易で、かつ、床スラブ面から床仕上げ面までの高さを低く押えることができるため、建築コストや施工労力を押さえることができ、特に、免震化改修の際にその効果が大きい。
【図面の簡単な説明】
【図１】本発明に係る免震支承受け皿を使用して免震支承床を構築した床部を示す斜視図である。
【図２】同上の一部を切り欠いた平面図である。
【図３】本発明に係る免震支承用受け皿の斜視図である。
【図４】同上の平面図である。
【図５】同上の底面図である。
【図６】本発明に係る免震支承用受け皿の設置後の側面図である。
【図７】同上の断面図である。
【図８】本発明に係る免震支承用受け皿の施工工程を示す側面図である。
【図９】本発明の免震支承用受け皿と下地フレームとボールを示す側面図である。
【図１０】本発明の免震支承用受け皿と床構造を示す側面図である。
【図１１】本発明の免震支承用受け皿と下地フレームとストッパー兼用のダンパーを示す側面図である。
【符号の説明】
１    免震支承用受け皿
１１  天板
１２  側壁板
１３  孔
１４  水平舌片
１５  ねじ孔
１６  高さ調整ボルト
１７  塞ぎ板
２    充填硬化材
３    下地フレーム
３１  縦横フレーム
３２  斜めフレーム
４    床仕上げパネル（下地パネル）
５    仕上げスライドパネル（下地スライドパネル）
６    固定床パネル
７    床スラブ
８    壁
９    ボール
１０  受け皿周縁部の天端
Ａ    ストッパー兼用のダンパー
【図１】
0003831669.tif 000002
【図２】
0003831669.tif 000003
【図３】
0003831669.tif 000004
【図６】
0003831669.tif 000005
【図７】
0003831669.tif 000006
【図４】
0003831669.tif 000007
【図５】
0003831669.tif 000008
【図８】
0003831669.tif 000009
【図９】
0003831669.tif 000010
【図１０】
0003831669.tif 000011
【図１１】
0003831669.tif 000012